(57)【要約】【課題】通信相手との間で複数のフレームを送受信する際に、通常長さのプリアンブルのフレームの後に短いフレーム間隔で、短いプリアンブルのフレームを送受信する方法と、通常のプリアンブルのフレームを送受信する方法と、を適切に選択することが可能な通信制御方法を提供する。【解決手段】受信側無線通信装置が、送信側無線通信装置から受信した受信フレーム毎の受信信号レベル及び／又は周波数オフセット推定値で構成される受信パラメータに基づいて前記第１の通信方法又は前記第２の通信方法のうちの適切な通信方法を判定し、受信側無線通信装置が、判定結果を送信側無線通信装置に通知し、送信側無線通信装置が、受信側無線通信装置から通知された適切な通信方法によって以降のフレーム送信を行うようにする。【選択図】図７
2010268124.tif 000002
【特許請求の範囲】
【請求項１】
無線通信装置間で複数のフレームを送受信する際に、前記無線通信装置間で、通常長さのプリアンブル部を含む第１フレームの後に、通常長さのプリアンブルを含むフレームを連続送受信する第１の通信方法と、通常長さのプリアンブルを含む第１フレームの後に、短いプリアンブルを含むフレームを連続送受信する第２の通信方法を選択的に実行可能な無線通信制御方法において、
受信側無線通信装置が、送信側無線通信装置から受信した受信フレーム毎の受信信号レベル及び／又は周波数オフセット推定値で構成される受信パラメータに基づいて前記第１の通信方法又は前記第２の通信方法のうちの適切な通信方法を判定する判定ステップと、
前記受信側無線通信装置が、該判定結果を送信側無線通信装置に通知する通知ステップと、
前記送信側無線通信装置が、前記受信側無線通信装置から通知された前記適切な通信方法によって以降のフレーム送信を行うステップと、
を含むことを特徴とする無線通信制御方法。
【請求項２】
前記判定ステップは、前記受信フレーム毎の前記受信パラメータの変動値が所定の許容範囲内であるかを算出し、前記変動値が前記許容範囲内である場合には、前記第２の通信方法が適切と判定し、前記変動値が前記許容範囲外である場合には、前記第２の通信方法が適切と判定することを特徴とする請求項１記載の無線通信制御方法。
【請求項３】
前記変動値は、前記第１フレームの受信パラメータと、前記第１フレーム以降のフレームの受信パラメータと、の差分であることを特徴とする請求項２記載の無線通信制御方法。
【請求項４】
通信相手の無線通信装置との間で互いに複数のフレームを送受信する際に、通常長さのプリアンブル部を含む第１フレームの後に、通常長さのプリアンブルを含むフレームを連続送受信する第１の通信方法と、通常長さのプリアンブルを含む第１フレームの後に、短いプリアンブルを含むフレームを連続送受信する第２の通信方法を選択的に実行可能な無線通信装置において、
受信動作時に、送信側の無線通信装置から受信した受信フレーム毎の受信信号レベル及び／又は周波数オフセット推定値で構成される受信パラメータに基づいて前記第１の通信方法又は前記第２の通信方法のうちの適切な通信方法を判定する判定部と、
受信動作時には、前記判定結果を送信側の無線通信装置に通知し、送信時には、受信側の無線通信装置から通知された前記適切な通信方法によって以降のフレーム送信を行うように制御する制御手段と、
を備えることを特徴とする無線通信装置。
【請求項５】
互いに複数のフレームを送受信する際に、通常長さのプリアンブル部を含む第１フレームの後に、通常長さのプリアンブルを含むフレームを連続送受信する第１の通信方法と、通常長さのプリアンブルを含む第１フレームの後に、短いプリアンブルを含むフレームを連続送受信する第２の通信方法を選択的に実行可能な複数の無線通信装置からなる無線通信システムにおいて、
前記複数の無線通信装置のうち、受信側の無線通信装置は、送信側の無線通信装置から受信した受信フレーム毎の受信信号レベル及び／又は周波数オフセット推定値で構成される受信パラメータに基づいて前記第１の通信方法又は前記第２の通信方法のうちの適切な通信方法を判定して、前記送信側の無線通信装置に通知し、
前記送信側の無線通信装置は、前記受信側の無線通信装置から通知された前記適切な通信方法によって以降のフレーム送信を行うことを特徴とする無線通信システム。
【発明の詳細な説明】
【技術分野】
【０００１】
本発明は、無線通信制御方法に関し、特に、通常の長いプリアンブルのフレームを送出した後で、続くフレームについて、長いプリアンブルと短いプリアンブルを適切に選択する通信方法、及びこれを用いた無線通信システムに関する。
【背景技術】
【０００２】
無線通信は有線通信に比べ通信環境の影響を受けやすく、大容量データを安定して効率よく高速で送受信するために様々な技術を必要とする。
例えば、一般的に高速のデータレートほどスループットは高くなるが、ノイズに対する耐性が低くなり、また逆に、低速のデータレートほどスループットは低くなるが、ノイズに対する耐性が高くなる傾向があるため、複数のデータレートを使用可能とし、パケット誤り発生率やＳＮＲなどの受信信号品質に応じて最適なデータレートなどの変調方式を選択する無線通信制御方法が、リンクアダプテーションとして既に知られている。
例えば、特許文献１には、無線通信におけるスループットを高める目的で、変調方式と誤り訂正コードの組み合わせからなる物理モード毎にパケット誤り率を推定し、その結果をフレームの送信元に送信し、送信元が推定結果を受信することにより、その推定結果に基づいて最もスループットが高くなる物理モードを選択し、使用する構成が開示されている。
【０００３】
また、無線通信のスループットの向上を、物理モードを選択・変更するのではなくパケットのオーバーヘッドやパケット間ギャップを低減させることによって達成するアプローチも存在する。
例えば、マルチバンドＯＦＤＭ（Orthogonal Frequency Division Multiplexing）方式のバーストモードでは、同一の通信相手との間で複数のデータ・パケットを通信する場合に、第１フレームの送出後、短いフレーム間隔でフレームを送出することによって、パケットのオーバーヘッドやパケット間ギャップを低減する。
なお、データ・パケット（フレーム）のフォーマットは、多くの無線通信方式で採用されているように、既知のトレーニング用信号であるプリアンブル、通信を行うために必要な情報を含むヘッダー、実際に送りたいデータを含むペイロードの順に構成される。
【０００４】
かかる構成において、第２フレーム以降は、プリアンブルを第１フレームよりも短くすることが出来して、さらにフレームを短くできるので、ペイロードに対するオーバーヘッドを低減し、スループットをさらに改善して連続送受信する通信方法も可能である。
通常の長いプリアンブルのフレームの後に、短いフレーム間隔で、かつ短いプリアンブルのフレームを用いて連続送受信する通信方法では、複数のデータ・パケットを短いフレーム間隔で連続送受信することにより、パケットのオーバーヘッドやパケット間ギャップの低減・削減による転送効率の向上が見込まれ、さらに、第２フレーム以降のプリアンブルを短くすることにより、ペイロードに対するオーバーヘッドを小さくすることになり、同様に転送効率の向上が見込まれる。
【０００５】
しかし、第２フレーム以降ではプリアンブルが短いため、プリアンブルを用いて行う処理、例えばＡＧＣ（Auto Gain Control）や周波数オフセット推定を第１フレームの長いプリアンブルの場合と同様に行うことが難しく、第２フレーム以降はこれらの算出処理を省き、第１フレームで算出した値を使用することになる。よって、この場合第２フレーム以降の受信信号レベルや、周波数オフセットが、第１フレームと大きく異ならないことがより安定した受信を行う上で必要となってくる。逆に、これらの値がフレームを跨ぐと異なる場合は、パケット誤り率の劣化につながる。
【０００６】
それに対して、通常の長いプリアンブルのフレームの後に、短いフレーム間隔で、長いプリアンブルのフレームを用いて連続送受信する場合は、複数のデータ・パケットを短いフレーム間隔で連続送受信することにより、パケットのオーバーヘッドやパケット間ギャップの低減・削減による転送効率の向上が見込まれるが、第２フレーム以降のプリアンブルは通常通り長いため、短いプリアンブルを使用する場合と比較するとペイロードに対するオーバーヘッドの削減効果は低下する。しかし、第２フレーム以降に対しても第１フレームと同様のプリアンブルを用いた処理を行うことが可能であり、フレーム毎にＡＧＣや周波数オフセット推定を行う。よって、受信信号レベルや周波数オフセット値がフレーム毎に大きく異なる場合にも対応してエラーの発生を抑えながら受信することができる。
このように、短いプリアンブルとする場合と、通常の場合のように長いプリアンブルとする場合において、各々の通信方法が最適となる状況は異なっており、どちらを選択するのが最適かを適切に判定することが出来ない、という問題があった。
【発明の概要】
【発明が解決しようとする課題】
【０００７】
上記の状況を鑑みて、本発明は、無線通信装置間で複数のフレームを送受信する際に、通常長さのプリアンブルのフレームの後に短いフレーム間隔で、短いプリアンブルのフレームを送受信する方法と、通常の長いプリアンブルのフレームを送受信する方法と、から、通信環境に応じて適切な方法を選択することが可能な通信制御方法、これを用いた無線通信システム及び無線通信装置を提供することを目的とする。
【課題を解決するための手段】
【０００８】
上記の課題を解決するために、請求項１の発明は、無線通信装置間で複数のフレームを送受信する際に、前記無線通信装置間で、通常長さのプリアンブル部を含む第１フレームの後に、通常長さのプリアンブルを含むフレームを連続送受信する第１の通信方法と、通常長さのプリアンブルを含む第１フレームの後に、短いプリアンブルを含むフレームを連続送受信する第２の通信方法を選択的に実行可能な無線通信制御方法において、受信側無線通信装置が、送信側無線通信装置から受信した受信フレーム毎の受信信号レベル及び／又は周波数オフセット推定値で構成される受信パラメータに基づいて前記第１の通信方法又は前記第２の通信方法のうちの適切な通信方法を判定する判定ステップと、前記受信側無線通信装置が、該判定結果を送信側無線通信装置に通知する通知ステップと、前記送信側無線通信装置が、前記受信側無線通信装置から通知された前記適切な通信方法によって以降のフレーム送信を行うステップと、を含む無線通信制御方法を特徴とする。
また、請求項２の発明は、前記判定ステップは、前記受信フレーム毎の前記受信パラメータの変動値が所定の許容範囲内であるかを算出し、前記変動値が前記許容範囲内である場合には、前記第２の通信方法が適切と判定し、前記変動値が前記許容範囲外である場合には、前記第２の通信方法が適切と判定する請求項１記載の無線通信制御方法を特徴とする。
また、請求項３の発明は、前記変動値は、前記第１フレームの受信パラメータと、前記第１フレーム以降のフレームの受信パラメータと、の差分である請求項２記載の無線通信制御方法を特徴とする。
【０００９】
また、請求項４の発明は、通信相手の無線通信装置との間で互いに複数のフレームを送受信する際に、通常長さのプリアンブル部を含む第１フレームの後に、通常長さのプリアンブルを含むフレームを連続送受信する第１の通信方法と、通常長さのプリアンブルを含む第１フレームの後に、短いプリアンブルを含むフレームを連続送受信する第２の通信方法を選択的に実行可能な無線通信装置において、受信動作時に、送信側の無線通信装置から受信した受信フレーム毎の受信信号レベル及び／又は周波数オフセット推定値で構成される受信パラメータに基づいて前記第１の通信方法又は前記第２の通信方法のうちの適切な通信方法を判定する判定部と、受信動作時には、前記判定結果を送信側の無線通信装置に通知し、送信時には、受信側の無線通信装置から通知された前記適切な通信方法によって以降のフレーム送信を行うように制御する制御手段と、を備えることを特徴とする無線通信装置。
また、請求項５の発明は、互いに複数のフレームを送受信する際に、通常長さのプリアンブル部を含む第１フレームの後に、通常長さのプリアンブルを含むフレームを連続送受信する第１の通信方法と、通常長さのプリアンブルを含む第１フレームの後に、短いプリアンブルを含むフレームを連続送受信する第２の通信方法を選択的に実行可能な複数の無線通信装置からなる無線通信システムにおいて、前記複数の無線通信装置のうち、受信側の無線通信装置は、送信側の無線通信装置から受信した受信フレーム毎の受信信号レベル及び／又は周波数オフセット推定値で構成される受信パラメータに基づいて前記第１の通信方法又は前記第２の通信方法のうちの適切な通信方法を判定して、前記送信側の無線通信装置に通知し、前記送信側の無線通信装置は、前記受信側の無線通信装置から通知された前記適切な通信方法によって以降のフレーム送信を行う無線通信システムを特徴とする。
【発明の効果】
【００１０】
以上のように、受信側の無線通信装置で受信された第１フレームのプリアンブルから分かる受信パラメータを基準値とし、以降のフレームの受信パラメータの、基準値に対する変動幅を調べることで、短いプリアンブルによる複数フレームの連続送受信が可能か否かを判断するようにしたので、本発明によれば、通信環境に応じた適切な通信方法の選択をより的確に行うことができる。
【図面の簡単な説明】
【００１１】
【図１】本実施例にかかる無線通信システムについて説明する図。
【図２】本実施例の無線通信装置システムで使用するデータ・パケットのフォーマットについて説明する図。
【図３】本実施例の無線通信装置システムで使用する複数データ・パケットに対する２通りの通信方法について説明する図。
【図４】本実施例に係る無線通信装置の詳細な構成を示す図。
【図５】図４の通信方法判定部における判定処理について説明する図。
【図６】複数データ・パケット送信元での処理フローを示す図。
【図７】複数データ・パケット送信先での処理フローについて説明する図。
【発明を実施するための形態】
【００１２】
以下に、本発明の実施の形態を、図面に基づいて詳細に説明する。
図１は、本実施例にかかる無線通信システムについて説明する図である。
本実施例の無線通信システムは無線通信装置Ａとその通信相手となる無線通信装置Ｂによって構成される。そしてこれらの無線通信装置の間で複数のデータ・パケットを連続送受信することが可能となっている。
以下では、無線通信方式としてマルチバンドＯＦＤＭ方式を取り上げ、そのうちのバーストモード通信に本発明を適用した場合について説明するが、ペイロードのデータ長を短くしてパケットのオーバーヘッドやパケット間ギャップの低減をしてスループットを改善する無線通信方式であれば、マルチバンドＯＦＤＭ方式に限らず、本発明は適用可能であることは言うまでもない。
【００１３】
図２は、本実施例の無線通信装置システムで使用するデータ・パケットのフォーマットについて説明する図である。
本発明の無線通信システムにおける無線通信装置が同一の通信相手に複数のデータ・パケットを連続送受信する際に使用する各データ・パケットのフォーマットは、多くの無線通信方式で採用されているように、既知のトレーニング用信号であるプリアンブル、通信を行うために必要な情報を含むヘッダー、実際に送りたいデータを含むペイロードの順に構成される。
そしてマルチバンドＯＦＤＭ方式では、プリアンブルについては、図２（ａ）に示す通常の長いプリアンブルＰ１の場合と、図２（ｂ）に示す短いプリアンブルＰ２の場合の２つのタイプがあり、どちらかを選択して使用することができる。
また、ヘッダーには、そのフレームに続く次のフレームとのフレーム間隔が短い、つまり連続送受信する通信方法であるバーストモードを示すための情報であるＢＭビットと、そのフレームの後のフレームのプリアンブルのタイプを示す為の情報であるＰＴビットを含み、次のフレーム間隔が短い場合にＢＭ＝１、そうでない場合はＢＭ＝０、短いプリアンブルタイプの場合ＰＴ＝１、長いプリアンブルＰ１タイプの場合ＰＴ＝０とするように規定されている。
【００１４】
図３は、本実施例の無線通信装置システムで使用する複数データ・パケットに対する２通りの通信方法について説明する図であり、（ａ）は、第２フレーム以降も通常のプリアンブルタイプを用いる場合を示す図、（ｂ）は、第２フレーム以降は短いプリアンブルタイプを用いる場合を示す図である。
本発明の無線通信システムにおいて複数のデータ・パケットを連続送受信する際の２通りの通信方法を、総フレーム数が３フレームの場合について説明する。
本実施例で扱うマルチバンドＯＦＤＭ方式のバーストモードにおける規定では、最終フレーム以外はその後に続くフレームとのフレーム間隔が短いためＢＭ＝１とし、最終フレームではＢＭ＝０とする。
【００１５】
また、プリアンブルタイプについては、第１フレームでは必ず長いプリアンブルＰ１を使用するが、第２フレーム以降では長いプリアンブルＰ１と短いプリアンブルＰ２のどちらを使用するかは規定されておらず、自由に設定することが可能である。例えば、図３（ｂ）のように第２フレーム以降で短いプリアンブルタイプを使用する場合（第２の方法）は、第１フレームのヘッダーのＰＴビットをＰＴ＝１とし、図３（ａ）のように長いプリアンブルタイプを使用する場合（第１の方法）は、第１フレームのＰＴビットをＰＴ＝０とすることができる。但し、どちらの場合も、最終フレームでは必ずＰＴ＝０と規定されている。
そして、バーストモード通信中の各フレーム間隔は短く、図３（ａ）、（ｂ）どちらの場合もＭＩＦＳ（Minimum InterFrame Space）＝１．８７５ｕｓと規定されている。
通常、受信側の処理については規格による規定はないが、プリアンブルはＡＧＣ（Auto Gain Control）や周波数オフセット推定などに使用される。しかし、図３（ｂ）のようにプリアンブルが短い場合は、プリアンブルが長い場合と同様にこれらの処理を行うことは難しく、短いプリアンブルＰ２を使用する第２フレーム以降では、ＡＧＣや周波数オフセット推定処理を省略し、第１フレームで算出したゲイン値や周波数オフセット推定値を使用することとなる。
背景技術の説明において述べたように、第２フレーム以降のプリアンブルを短くすることにより、ペイロードに対するオーバーヘッドを小さくすることになり、同様に転送効率の向上が見込まれるが、この場合第２フレーム以降の受信信号レベルや、周波数オフセットが、第１フレームと大きく異ならないことがより安定した受信を行う上で必要となってくる。
【００１６】
それに対して、第２フレーム以降も長いプリアンブルＰ１のフレームを用いて連続送受信する場合は、短いプリアンブルＰ２を使用する場合と比較するとペイロードに対するオーバーヘッドの削減効果は低下するが、第２フレーム以降に対しても第１フレームと同様のプリアンブルを用いた処理を行うことが可能であり、フレーム毎にＡＧＣや周波数オフセット推定を行う。よって、受信信号レベルや周波数オフセット値がフレーム毎に大きく異なる場合にも対応してエラーの発生を抑えながら受信することができる。
【００１７】
以下に、どちらの通信方法が適切かを通信環境に応じて判定するための本発明の特徴的な構成を説明する。
図４は、本実施例に係る無線通信装置の詳細な構成を示す図である。
図４に示す無線通信装置は、図１に示す無線通信システムにおける無線通信装置Ａおよび無線通信装置Ｂに該当するもので、その構成要素として、アンテナ１、送受信部２、受信パラメータ記憶部３、通信方法判定部４、制御部５を含むものとする。
送信時には（送信側の無線通信装置では）、制御部５からのデジタルデータは、送受信部２により誤り訂正符号化および圧縮符号化およびデジタル変調を含むデジタル信号処理が行われた後、プリアンブルを付加される。この時、プリアンブルは長いプリアンブルＰ１と短いプリアンブルＰ２のうち制御部５により指定されたものを使用する。そして、さらに送受信部２において、デジタル信号からアナログ信号への変換、ベースバンド信号からＲＦ信号への周波数変換が行われる。その後、この信号はアンテナ１から電波として送信される。尚、ＢＭビットがＢＭ＝１（バーストモード）のフレームの場合は、短いフレーム間隔ＭＩＦＳで送信するように制御部５が送受信部２を制御する。
【００１８】
受信時には、送信元の無線通信装置のアンテナ１から送信された電波は、送信先（受信側）の無線通信装置のアンテナ１から電波として受信される。その後、この信号は送受信部２において、ＲＦ信号からベースバンド信号への周波数変換や、余分な周波数成分の除去の他に、アナログ信号からデジタル信号への変換が行われる。そして、さらに送受信部２において、プリアンブルが長い場合はそのプリアンブルを使用してＡＧＣ（Auto Gain Control）および周波数オフセット推定および同期処理などが行われた後、周波数オフセット補正やヘッダーおよびペイロードに対する復調および復号化および誤り訂正を含むデジタル信号処理が行われ、制御部５へデジタルデータが渡される。また、第２フレーム以降のプリアンブルが短い場合は、第１フレームの長いプリアンブルＰ１で算出したゲイン値および周波数オフセット推定値を使用して同期処理が行われ、その後の処理についてはプリアンブルが長い場合と同様となる。
尚、受信側の無線通信装置ではこれから受信しようとするフレームのプリアンブルのタイプについては、前フレームのＰＴビットを含むデジタルデータを渡された制御部５から送受信部２に伝えられることにより、予め知ることができ、送受信部２ではその情報に基づいてプリアンブルを使用したＡＧＣおよび周波数オフセット推定を行うか、あるいは、長いプリアンブルＰ１で算出したゲイン値および周波数オフセット推定値を使用するかを決定している。ここで、ＡＧＣを行う際に使用する受信信号レベルまたは周波数オフセット推定で算出する周波数オフセット推定値またはその両方を受信パラメータとして以下では呼ぶこととする。
【００１９】
受信パラメータ記憶部３は、送受信部２において算出した受信パラメータをフレーム毎に記憶する。
通信方法判定部（判定部）４は、ＢＭビットがＢＭ＝０のフレームを受信すると、複数フレームの受信を完了したとみなし、受信パラメータ記憶部３に記憶されたフレーム毎の受信パラメータの変動を計算し、許容値内であれば短いプリアンブルＰ２を使用する連続データ・パケット通信方法が適切と判定し、許容値を超えていれば長いプリアンブルＰ１を使用する連続データ・パケット通信方法が適切と判定し、判定結果を制御部５に伝える。そして、制御部５ではこの判定結果をデジタルデータとするＢＭ＝０、ＰＴ＝０のフレームを、送受信部２を制御して送信する。
受信パラメータの変動の計算および許容値内であるかどうかの判定処理については図５を用いて後述する。
【００２０】
制御部５は、送信時における所定のフレームフォーマットの生成や複数フレーム連続送信時のフレーム間隔の制御や受信時におけるプリアンブルタイプに基づく送受信部２の制御など、通信を行うため上記各部に対して所定の制御を行う。フレームフォーマット生成時のヘッダーのＰＴビットについては、通信相手（送信側）の無線通信装置から送られてきた適切な通信方法判定結果に基づいて、ＰＴ＝０あるいはＰＴ＝１を設定し、そして前フレームのＰＴビットがＰＴ＝１の場合は短いプリアンブルＰ２を使用するよう送受信部２に指示する。その他の場合（ＰＴ＝０）については、長いプリアンブルＰ１を使用するように送受信部２に指示する。尚、ＢＭビットおよび最終フレームでのＰＴビットの設定については、図３で説明した方法に従う。すなわち、最終フレームにおいては、ＢＭ＝０、ＰＴ＝０である。
また、制御部５は、通信プロトコル層以上のアプリケーション層までも包括するものとする。
【００２１】
図５は、図２の通信方法判定部４における判定処理について説明する図である。
本発明の無線通信装置の通信方法判定部４における判定処理について、３フレームのデータ・パケットを連続送受信する場合を例として説明する。
受信パラメータ記憶部３に記憶された第１フレームの受信信号レベル又は／及び周波数オフセット推定値を、以降のフレームの受信信号レベル又は／及び周波数オフセット推定値に対する基準値とする。
次に、受信パラメータ記憶部３に記憶された第２フレームの受信パラメータと基準値との差分を計算する。
ここで受信パラメータが受信信号レベルおよび周波数オフセット推定値の両方である場合は、第２フレームの受信信号レベルと、受信信号レベルの基準値つまり第１フレームの受信信号レベルとの差分、および第２フレームの周波数オフセット推定値と周波数オフセット推定値の基準値つまり第１フレームの周波数オフセット推定値との差分を計算する。
【００２２】
そして、その両方の差分（変動幅）が、図５（ａ）に示すように所定の許容値内であれば、次の第３フレーム目に対しても同様の処理を行う。そして、全フレームとも受信パラメータの差分が許容値内であれば、通信方法判定部４は、複数のデータ・パケットの連続送受信において、短いプリアンブルタイプを使用する通信方法が適切と判定する。
受信パラメータとして受信信号レベルおよび周波数オフセット推定値の両方を使用する場合は、第２フレームの受信信号レベルまたは周波数オフセット推定値のうち少なくとも一方が、図５（ｂ）に示すように所定の許容値を超えると、３フレーム目に対する判定処理を行わずに、複数のデータ・パケットの連続送受信において、通信方法判定部４は、長いプリアンブルタイプを使用する通信方法が適切と判定する。
ここで、受信信号レベルまたは周波数オフセット推定値またはその両方に対する許容値は制御部５によって任意に設定でき、制御部５より通信方法判定部４にその情報が伝えられるものとする。
【００２３】
図６は、複数データ・パケット送信元での処理フローを示す図である。
無線通信システムにおいて無線通信装置Ａから無線通信装置Ｂに３フレームのデータ・パケットを連続送受信する場合に本発明を適用し、まず送信元である無線通信装置Ａでの通信制御のための処理フローを説明する。
まず、制御部５は、図３（ａ）に示す通常の長いプリアンブルＰ１を用いた３フレームからなるデータ・パケットを通信方法制御用の複数データ・パケットとして、アンテナ１および送受信部２を通して送信する（ステップＳ１０１）。
次に、制御部５は、送信先である無線通信装置Ｂから送信された適切な通信方法についての判定結果に関するフレームを、アンテナ１および送受信部２およびを通して受信する（ステップＳ１０２）。
制御部５は、受信した適切な通信方法についての判定結果の情報に基づいて、適切なプリアンブルを用いた通信方法で、本来送りたい３フレームからなるデータ・パケットをアンテナ１および送受信部２を通して送信する（ステップＳ１０３）。
【００２４】
図７は、複数データ・パケット送信先（受信側）での処理フローについて説明する図である。
送信先（受信側）である無線通信装置Ｂでの通信制御のための処理フローを説明する。
無線通信装置Ａから送信される通信方法制御用の３フレームに及ぶデータ・パケットの第１フレームの受信を開始する（ステップＳ２０１）。
受信側の無線通信装置Ｂの制御部５は、アンテナ１および送受信部２を通して、無線通信装置Ａからのフレームを受信し、その際、送受信部２は受信信号レベルまたは／及び周波数オフセット推定値を受信パラメータとして算出する（ステップＳ２０２）。
送受信部２によって算出した各フレームの受信パラメータは、受信パラメータ記憶部３に記憶される（ステップＳ２０３）。
制御部５は、複数フレームの受信を完了したかを、フレームの受信結果の中のＢＭビットがＢＭ＝０であるかどうかにより判断する（ステップＳ２０４）。
複数フレームの受信を完了していないと判断した場合（ステップＳ２０４でＮｏ）、順次受信されるフレームについてＢＭビットを調べ、最終フレーム（ＢＭ＝０のフレーム）に達するまで繰り返す。
【００２５】
そして、最終フレームに達し、ＢＭ＝０であることより受信を完了したと制御部５は判断した場合（ステップＳ２０４でＹｅｓ）、通信方法判定部４は、受信パラメータ記憶部３に記憶された受信パラメータの変動を計算する（ステップＳ２０５）。
通信方法判定部４は、受信パラメータの変動が許容値内であるかどうかを図５に示すようにして確認する（ステップＳ２０６）。
許容値内であると判定した場合（ステップＳ２０６でＹｅｓ）、複数のデータ・パケットの連続送受信において、短いプリアンブルタイプを使用する通信方法が適切と判定する（ステップＳ２０７）。
また、許容値を超えていると判定した場合（ステップＳ２０６でＮｏ）、複数のデータ・パケットの連続送受信において、長いプリアンブルタイプを使用する通信方法が適切と判定する（ステップＳ２０８）。
続いて、通信方法判定部４は判定結果を制御部５に伝え、制御部５は、この判定結果をデジタルデータとして、ＢＭ＝０、ＰＴ＝０のフレームを送受信部２およびアンテナ１を通して送信する（ステップＳ２０９）。
そして、送信された判定結果に基づき無線通信装置Ａから適切なプリアンブルを用いた通信方法で送信された３フレームからなるデータ・パケットを受信する（ステップＳ２１０）。
【００２６】
このように、受信側の無線通信装置で受信された第１フレームのプリアンブルから分かる受信パラメータを基準値とし、以降のフレームの受信パラメータの、基準値に対する変動幅を調べることで、短いプリアンブルによる複数フレームの連続送受信が可能か否かを判断するようにしたので、本発明によれば、通信環境に応じた適切な通信方法の選択をより的確に行うことができる。
【符号の説明】
【００２７】
１  アンテナ、２  送受信部、３  受信パラメータ記憶部、４  通信方法判定部、５  制御部
【先行技術文献】
【特許文献】
【００２８】
【特許文献１】特開２００８−１７４６７公報
【図１】
2010268124.tif 000003
【図２】
2010268124.tif 000004
【図３】
2010268124.tif 000005
【図４】
2010268124.tif 000006
【図５】
2010268124.tif 000007
【図６】
2010268124.tif 000008
【図７】
2010268124.tif 000009